(57)【要約】【課題】発光スイッチユニットを備えて、防犯セット状態が外部より目視で確認出来るように構成された防犯表示システム装置を提供する。【解決手段】２組の直列に接続された発光ダイオード７Ａｂ，７Ａｃとダイオード７Ａｄ，７Ａｃを、互いに逆方向にして接続した発光スイッチユニット（７Ａ，７Ｂ，７Ｃ，・・・）を備え、防犯セット状態が目視で確認出来るように構成され、発光スイッチユニットの発光部が、ＬＥＤ発光であり、また発光スイッチユニットが、連結接続でき発光スイッチユニットへ電源供給のため、定電流駆動回路を搭載した、受信制御装置ＡＰ１により構成されていることを特徴とする防犯表示システム装置。【選択図】図１
0003140709.tif 000002
【実用新案登録請求の範囲】
【請求項１】
２組の直列に接続された発光ダイオードとダイオードを、互いに逆方向にして接続した発光スイッチユニットを備えて、防犯セット状態が目視で確認出来るように構成されていることを特徴とする防犯表示システム装置。
【請求項２】
発光スイッチユニットが、ＬＥＤ発光ユニットであることを特徴とする請求項１記載の防犯表示システム装置。
【請求項３】
発光スイッチユニットが、連結接続できることを特徴とする、請求項１又は２記載の防犯表示システム装置。
【請求項４】
防犯表示システム装置への電源供給のため、定電流駆動回路を搭載し、受信制御装置から定電流発光ダイオードの連結接続を可能とした装置を備えていることを特徴とする請求項１〜３のいずれか１項記載の防犯表示システム装置。
【請求項５】
防犯表示システム装置に中央処理装置を搭載して通信インターフェースを中継し、単一デジタル信号によりアドレス通信可能な子機と時間通信できる機能を備え、点灯及びどの子機のスイッチが入ったか即座に判断識別できる機能を備えた事を特徴とする請求項１〜４のいずれか１項記載の防犯表示システム装置。
【考案の詳細な説明】
【技術分野】
【０００１】  本考案は、窓及びドアに取り付けて、ＬＥＤ発光により視認出来るようにし、侵入を未然に防止できるようにした防犯表示システム装置に関するものである。
【背景技術】
【０００２】  近年。都市化、国際化や情報化の進展などによる社会環境の変化に伴い、犯罪の形態は複雑多様化している。その中で相変わらず住宅、事務所対象の侵入盗事の割合が依然として高い状態にある。この様な犯罪企図者に対して、侵入を思いとどまらせる為に、光による抑止効果で、犯罪を未然に防止する防犯センサーが有効な手段と思われている。【０００３】  窓や扉の、ガラス面の屋外側から透視可能に屋内面側に取り付けられた防犯装置で、侵入検知回路（窓が開く、又は窓ガラスへの衝撃力や破壊があった場合に侵入とみなしてアラーム駆動回路に出力信号を発する）、アラーム駆動回路（侵入検知回路からの出力信号により駆動状態になる。）及び発光ダイオードの点滅駆動回路２が配置されたプリント基板が収容され、また前記アラーム駆動回路からの出力信号により、継続して警報音を発するアラーム発生部を具備した窓及び扉用防犯装置が開示されている。（例えば特許文献１参照）【０００４】
【特許文献１】  登録実用新案第３１１１３３２号広報
【考案の開示】
【考案が解決しようとする課題】
【０００５】  しかしながら以上に述べた従来の方法では、工場及び店舗又大型量販店、事務所及び集合住宅等に設置する場合は、窓及び扉用防犯装置を複数設置しなければならず、設置費用が高騰する。又、警戒セットの確認が１つ１つの装置を確認しなければならなく警戒確認がおろそかになりがちで、窓の大きさ数量など膨大なものがあり従来製品を取り付けるには実用的ではない。又、この窓及び扉用防犯装置は警戒接点出力もなく、単体駆動で電源は小型蓄電池等、維持費の面も高膨する。【０００６】  本考案は、このような諸問題を解決しようとするものであり、防犯センサーの発光ダイオード点灯を屋外から透視可能とすると共に、室内から警報セット目視動作確認可能として、低コスト提供することを目的とする。
【課題を解決するための手段】
【０００７】  このような上記目的を達成するため本考案は２組の直列に接続された発光ダイオードとダイオードを、互いに逆方向にして接続した発光スイッチユニットを備え、防犯セット状態が目視で確認出来るように構成されていること、発光スイッチユニットの発光部が、ＬＥＤ発光であること、また発光スイッチユニットが、連結接続できること発光スイッチユニットへの電源供給のため、定電流駆動回路を搭載した受信制御装置により構成されていることを特徴とする。【０００８】  前記発光スイッチユニットにはこれ以外にデジタル発光スイッチユニットを有し、受信制御装置に中央処理装置（ＣＰＵ）を搭載することにより、アドレス通信可能なデジタル発光スイッチユニットと時間通信できる機能を備え、子機のデジタル発光スイッチユニットのＬＥＤ点灯、消灯はもちろん、どの子機のデジタル発光スイッチユニットのスイッチが入ったか、即座に、判断識別できる機能を備え配線コストを大幅に改善したことを特徴とする。
【考案の効果】
【０００９】  上記を解決するための手段による効果は次のとおりである。２組の直列に接続された発光ダイオードとダイオードを、互いに逆方向にして接続した発光スイッチユニットを備えて、防犯セット状態が目視で確認出来るように構成されていることにより発光ダイオード（ＬＥＤ）による点灯表示が容易にできる。【００１０】  前記発光スイッチユニットが、高輝度ＬＥＤ発光素子を使用することにより長期駆動動作が可能でありランニングコストが安価にできる。【００１１】  前記発光スイッチユニットが、連結接続できること、及びマグネット式リードスイッチを混合して使用することもできるので、従来のものに利用できる。【００１２】  １個から規定個数の発光スイッチユニットを直列に接続し受信制御装置の定電流送出ユニットより定電流を流し、受信制御装置の電圧検知ユニットで発光スイッチユニットに流れる電流を監視しスイッチの断で電流が停止するのを検出することができる回路を具備し、異報出力ユニットを内蔵することにより、警報音を発したりすることができる。【００１３】  アドレス通信可能なデジタル発光スイッチユニット子機と時間通信出来る機能を有する受信制御装置は、子機のデジタル発光スイッチユニットＬＥＤ点灯、消灯はもちろん、どの子機のデジタル発光スイッチユニットのスイッチが入ったかを識別出来る機能を備えているので１回線に複数個（１個から最大約１００個ＣＰＵのメモリーにより決定）のデジタル発光スイッチユニットを接続でき即座に判断識別できると共に通信回線による配線コストを大幅に削減できる。
【考案を実施する為の最良の形態】
【００１４】  以下、本考案を実施するための最良の形態についてＬＥＤ発光ダイオードを使用した実施例を示す図面を参照して詳細に説明する。図１は、発光ダイオード７Ａｂのアノード側とスイッチングダイオード７Ａｄのカソード側を互いに直列接続し、次の発光ダイオード７Ａｃのカソード側とスイッチングダイオード７Ａｅのアノード側を直列接続したものを互いに逆接続しマグネット式リードスイッチ（以下スイッチという）７Ａａの片方の端子へ両発光ダイオード７Ａｂ、７Ａｃ側を接続する。また、スイッチ７Ａａの反対側は入力端子となり、続いてスイッチングダイオード７Ａｄのアノード側とスイッチングダイオード７Ａｅのカソード側を互いに接続し出力端子となる。これを１組の発光スイッチユニット７Ａ，７Ｂ，７Ｃとしてある。７Ａ，７Ｂ，７Ｃ，の３個で図示してあるが、必要に応じて増設する。
【００１５】  また、受信制御装置ＡＰ１は中央処理装置（ＣＰＵ）１、電源供給ユニット２、電圧昇圧ユニット３、定電流送出ユニット４、電流検出素子のダイオードＤ１、Ｄ２、電圧検出ユニット５、異常出力ユニット６、を具備している。
【００１６】  回路の電流の流れ及び発光ダイオードの発光の為の送出電圧の計算の仕方、電圧検出ユニット５、の検知のメカニズム等を順を追って説明する。
【００１７】  まず回路の電流の流れに付いて説明する。はじめに、電源供給ユニット２より直流電圧１２ボルトの電圧を電圧昇圧ユニット３へ送出し、電圧昇圧ユニット３では直流１２ボルトの電圧を規定値の電圧へ昇圧し定電流送出ユニット４へ送出します。定電流送出ユニット４は定電流検知を行い設定電流を発光スイッチユニット７Ａへ送出する。発光スイッチユニット７Ａはスイッチ７Ａａが閉のとき、スイッチ７Ａａを通過し発光ダイオード７Ａｃのアノードへ流れスイッチングダイオード７Ａｅのアノードへ流れでる。この時点で発光ダイオード７Ａｃは発光する。続いてスイッチングダイオード７Ａｅのカソードより流れ出た電流は次の発光スイッチユニット７Ｂへ次の７Ｃへと流れ出し、各々の発光ダイオードは発光する。各発光スイッチユニット７Ａ，７Ｂ，７Ｃを通過した電流は、電流検出素子のダイオードＤ１，Ｄ２を通過しグランドＧへ流る。また電流検出素子のダイオードＤ１のアノードから電圧検知ユニット５へ検出電圧値を送出し一連の電流の流れは終わる。
【００１８】  次にダイオード発光に必要な送出電圧値の計算の方法を説明する。まず流したい発光ダイオード単体の順電圧値をメーカのカタログで調べ順電圧（以下ＶＦという）欄の値を調べる。大体一般のＶＦ値はタイプで３．５ボルト発光させるＬＥＤ数×３．５ボルト＝送出電圧として求められる。本発明の発光スイッチユニットは、発光ダイオードに直列にスイッチングダイオードが接続されているので、その分のＶＦ値も計算に入れなければならない。但しあまり大きな送出電流にすると、発光ダイオードの寿命が著しく短くなるから、発光量は若干落ちるが、規定値の半分の電流を流し、発光ダイオードの寿命を大幅に伸ばす。以上で送出電圧値の計算の方法を終る。また、発光スイッチユニットの発光ダイオード７Ａｂ部に直列にスイッチングダイオード７Ａｄが挿入されているが、発光ダイオードは逆耐電圧が低く保護のために挿入してある。
【００１９】  続いて、電流検知ユニット５の検知のメカニズムを説明する。受信制御装置ＡＰ１より送出した電流は発光スイッチユニット７Ａ，７Ｂ，７Ｃを通過後、再び受信制御装置ＡＰ１に帰ってくる。帰ってきた信号電流は電流検出素子のダイオードＤ１のアノードを通過し続いてダイオードＤ２のカソードよりグランドへ流れ出る。この時、前項でも述べたダイオード順電圧降下のＶＦ値が電圧降下となりＤ１のアノード側とグランドＧ間で電圧値として現る。１つのダイオードで約０．６ボルト、２個で約１．２ボルトの値となって現れ、その電圧値を電圧検出ユニット５で感知し電圧値があれば正常、無ければ異常を検出し異常出力ユニット６へ送出する。
【００２０】  次に本考案の防犯表示システム装置を使用した他の実施例を図２に従って説明する。この実施例はＬＥＤ防犯センサーを逆接続した時の電流の流れを説明すると共に、従来の窓及びドア用マグネットリードスイッチ（以下スイッチという）の混合使用の形態を説明する。
【００２１】  まず受信制御装置ＡＰ２の定電流送出ユニット２４より送出した電流ＣＡは発光スイッチユニット２７Ａのスイッチ２７Ａａへ流入し、次に発光ダイオード２７Ａｂのアノード端子へ流れ、発光ダイオードを点灯しカソードより次のスイッチングダイオード２７Ａｃのアノードへまた次にカソードより流出したＣＡは次の発光スイッチユニット２７Ｂへ流出する。次に逆接続された発光スイッチユニット２７Ｂはスイッチングダイオード２７Ｂｃのアノードへカソードから流出した電流ＣＡは発光ダイオード２７Ｂｂのアノードへここでカソードより流出することで発光ダイオードが発光し、スイッチ２７Ｂａの端子から流出する。またそのまま発光スイッチユニット２７Ｃを発光させ、通過し従来のリードスイッチ２８Ａのスイッチへ流入し２８Ｂ，２８Ｃ，２８Ｄと進み受信制御装置ＡＰ２の電圧検出ダイオードＤ２１及びＤ２２を流れグランドＧへ帰る。
【００２２】  本考案の防犯表示システム装置に従来のマグネット式リードスイッチ（以下スイッチという）が約何個、混合接続できるか実際に算出する。一般スイッチの接触抵抗は一般的に初期抵抗値が約１５０ミリオオム古くなると大体２倍位の値になり  ３００ミリオオム次に本装置の配線許容最大電圧降下を０．５ボルトとすればスイッチに許される電圧降下は約１／５位の０．１ボルト、ここで回線電流は大体１０ミリアンペア流す計算で可能抵抗値は１０オオム、スイッチの抵抗値は３００ミリオオムなので＝約３３個  余裕を見て、全体の約８０パーセント使用で２６個位が混合接続可能である。上記計算は大体の目安なので配線距離および配線サイズ等により増減しなければならないと思うが。本発明の受信制御装置に混合して使えるスイッチは約２６個使用可能で、このように従来のスイッチも一緒に混合使用できるのも大きな特徴である。
【００２３】  次に本考案の他の実施例として中央処理装置（ＣＰＵ）を利用したデジタル発光スイッチユニットの防犯表示システム装置の説明を図３により説明する。受信制御装置ＡＰ３の電源供給ユニット３２よりＣＰＵ３１へ直流５ボルトを送り、通信インターフェース３３へ直流１２ボルトを供給する。通信インターフェース３３では、ＣＰＵ３１よりの通信プログラムのプロコトルにより通信を待つ。一方通信インターフェース３３は各デジタル発光スイッチユニット３４Ａ、３４Ｂ、３４Ｃへ表示及びスイッチ入力に必要な電源、直流１２ボルト（ＤＣ１２Ｖ）、電源とグランドＧを出力する。この時点で各デジタル発光スイッチユニット３４Ａ、３４Ｂ、３４Ｃは通信インターフェース３３からのスタート信号を待ち、ＣＰＵ３１は全デジタル発光スイッチユニット３４Ａ、３４Ｂ、３４Ｃに今から通信するという信号であるスタート信号を通信インターフェース３３を介して出力する。通信インターフェース３３は、各デジタル発光スイッチユニット３４Ａ、３４Ｂ、３４Ｃにスタート信号を送出し、続いてＣＰＵ３１が通信したい仮に特定なデジタル発光スイッチユニット３４Ａのアドレスを出力しそれを通信インターフェース３３が出力する。アドレス信号を受信した各デジタル発光スイッチユニット３４Ａ、３４Ｂ、３４Ｃは自身のアドレスか内部で検査し自身のアドレスでなければスタート信号を待ち、一方アドレスが一致した特定のデジタル発光スイッチユニット３４Ａは次のデータである入力動作か出力動作かの信号を待つ。ＣＰＵ３１はデジタル発光スイッチユニット３４Ａへ入力か出力かの信号を出力しそれを通信インターフェース３３が出力する。受けたデジタル発光スイッチユニット３４Ａは入力の時は自分の入力状況を調べその信号をＣＰＵ３１に向け出力し、また出力の時は、ＣＰＵからの出力データを待ちそのデータが到着したらそれを出力する。以上の動作を全デジタル発光スイッチユニット３４Ａ、３４Ｂ、３４Ｃに時間割で通信しそのデータにしたがい、ＣＰＵ３１は異常か正常か判断し異常の時は各警報処理に入り、正常な時はそのまま全デジタル発光スイッチユニットと通信する。全配線長は約２００メートルまでの配線長でデジタル発光スイッチユニット約１００台（ＣＰＵメモリにより決定）３芯電線で通信可能な為、配線材料及び配線敷設費が大幅に改善できる。
【００２４】  発光スイッチユニット図と窓取付例図を作成し、説明する。
図４は発光スイッチユニットの平面図であり、スイッチの作動はマグネット式である。発光ダイオード７Ａｂ，７Ａｃとダイオード７Ａｄ，７Ａｃはプリント基板１０１に配置して図１に示す回路図に従って配線し、プラスチック製ユニットホルダー１０２に組付ける。スイッチ７Ａａを作動させるためのマグネット１０３はプラスチック製のマグネットホルダー１０４に収納されていて、マグネットホルダー１０４がスイッチ７Ａａに近付くとマグネット１０３により励磁されて、発光ダイオード７Ａｂ，７Ａｃ点灯し、遠ざかると消灯する。マグネットホルダー１０２はプラスチック製の半透明カバー（図示せず）が被せてある。
図５は発光スイッチユニット７Ａ，７Ｂ，７Ｃを建物の窓の開閉部に設置してＬＥＤ発光ダイオードの光を視認できるようにした設置例（施工例）を示す要部斜視図である。発光スイッチユニット７Ａ，７Ｂ，７Ｃ，・・・といった具合に多数の窓の開閉部に設置して、前記受信制御装置ＡＰ１へ導く。窓が閉じている時は、発光スイッチユニットの発光ダイオード７Ａｂ，７Ａｃは点灯した状態を保ち、防犯システム装置が施されていることを表示し、窓を開けると消灯する。
【図面の簡単な説明】
【００２５】
【図１】は本考案の防犯表示システム装置の実施例を示す回路図である。一実施例の回路図。
【図２】は本考案の防犯表示システム装置の他の実施例を示す回路図である。
【図３】は本考案の防犯表示システム装置の他の実施例として中央処理装置（ＣＰＵ）を利用した回路図である。
【図４】はＬＥＤ発光スイッチユニットの平面図である。
【図５】はＬＥＤ発光スイッチユニットを建物内の窓に取付けて表示する設置例を示す斜視図である。
【符号の説明】
【００２６】  ＡＰ１、ＡＰ２、ＡＰ３・・・受信制御装置
１、２１、３１・・・中央処理装置（ＣＰＵ）
２、２２、３２・・・電源供給ユニット
３、２３・・・電圧昇圧ユニット
４、２４・・・定電流送出ユニット
５、２５・・・電圧検出ユニット
６、２６・・・異常出力ユニット
Ｄ１、Ｄ２、Ｄ２１、Ｄ２２・・・電圧検出ダイオード
３３・・・通信インターフェース
７Ａ、７Ｂ、７Ｃ、２７Ａ、２７Ｂ、２７Ｃ・・・発光スイッチユニット
７Ａａ、２７Ａａ、２７Ｂａ、３４Ａｃ・・・スイッチ
７Ａｂ、７Ａｃ、２７Ａｂ、２７Ｂｂ、３４Ａｂ・・・発光ダイオード
７Ａｄ、７Ａｅ、２７Ａｃ、２７Ｂｃ・・・スイッチングダイオード
３４Ａ、３４Ｂ、３４Ｃ・・・デジタル発光スイッチユニット
１０１・・・プリント基板
１０２・・・ユニットホルダー
１０３・・・マグネット
１０４・・・マグネットホルダー
ＶＣＣ・・・電源
Ｇ・・・グランド
【図１】
0003140709.tif 000003
【図２】
0003140709.tif 000004
【図３】
0003140709.tif 000005
【図４】
0003140709.tif 000006
【図５】
0003140709.tif 000007